(57)【要約】【課題】立ち上がり速度が早く、かつ、装置の温度が安定し、リップルが少なく、定着画像のずれが無く、実際の温度に近い形の温度制御を可能とする定着装置を得ることである。【解決手段】加熱用ベルトと、この加熱用ベルトを加熱する加熱手段と、この加熱手段に対向する定着ローラと、前記加熱用ベルトと前記加熱手段を前記定着ローラに加圧する加圧手段とを有する構成で、前記加熱用ベルトの温度測定手段を設けたことにより、より実際の温度に近い制御を可能とし、定着動作に必要な温度を維持することができるものである。【選択図】        図１
2004239985.tif 000002
【特許請求の範囲】
【請求項１】
加熱用ベルトと、この加熱用ベルトを加熱する加熱手段と、この加熱手段に対向する定着ローラと、前記加熱用ベルトと前記加熱手段を前記定着ローラに加圧する加圧手段と、前記加熱用ベルトの温度測定手段とを有する定着装置。
【発明の詳細な説明】
【０００１】
【発明の属する技術分野】
本発明は用紙に形成された未定着画像を該用紙に加熱定着する定着装置に関するもので、特に、電子写真方式の画像形成装置に適用される定着装置に関するものである。
【０００２】
【従来の技術】
従来、この種の定着装置は加熱手段の温度を測定し、この測定結果に基づいて温度制御を行っていた（例えば、特許文献１参照）。
【特許文献１】
特開平１１−１６７３０８号公報
【０００３】
【発明が解決しようとする課題】
そのため、加熱手段から加熱ベルトへの温度伝達に時間差がみられる場合、結果としてリップルの多い温度制御となっていた。
【０００４】
例えばベルトの裏面より加熱する場合、特にベルト表面にゴム層等がつけてある場合、ベルト裏面より表面への温度到達時間がかかるため、たとえば温度が上昇中の場合を例にとれば、表面の温度が必要な温度となった時にヒータの通電をオフしても、すぐに裏面よりの温度伝達がなくならないためリップルの多い温度制御となる。オン時も同様である。
【０００５】
本発明は上記のような課題を解消するためになされたもので、リップルが少なく、より実際の温度に近い形の温度制御を可能とする定着装置を得ることを目的とする。
【０００６】
【課題を解決するための手段】
本発明は、加熱用ベルトと、この加熱用ベルトを加熱する加熱手段と、この加熱手段に対向する定着ローラと、前記加熱用ベルトと前記加熱手段を前記定着ローラに加圧する加圧手段と、前記加熱用ベルトの温度測定手段とを有する定着装置である。
【０００７】
【発明の実施の形態】
以下、本発明の実施の一形態を図面について説明する。
【０００８】
（実施例１）
図１、図２および図３は本発明の実施例１を示す説明図である。図１は本発明の定着装置の構成を示す図であり、図において、１０１は定着ベルト、１０２は後記の温度測定手段１０６より下流に設けた定着ベルト１０１を駆動する定着コロ、１０３は定着ローラ、１０４は定着ベルト１０１の内面に接触する加熱手段、１０５は加熱手段１０４を介して定着ベルト１０１を定着ローラ１０３に圧接させる加圧手段、１０６は定着ベルト１０１の温度を検出する温度検出手段（温度測定手段）である。
【０００９】
図２は本発明の定着装置における温度制御部を示す図である。図において、２０１は温度制御部であり、温度検出手段１０６からの検出値と予めメモリ（図示せず）に格納された基準値とを比較する温度比較手段２０３および加熱手段駆動手段２０４を有する。２０５は温度制御部２０１の出力値に基づいて温度制御される加熱手段である。
【００１０】
次に上記構成よりなる実施例１の動作を図３のフローチャートに基づいて説明する。装置の動作がＳ３０１で開始すると、Ｓ３０２で加熱手段１０４に電圧を印加する。本実施例では、加熱手段１０４として面状ヒーター等が好ましい。また、定着ローラ１０３および定着コロ１０２にはそれぞれ駆動装置（不図示）が繋がっており、図１に示す矢印方向に回転する。この回転に伴い、定着ベルト１０１も加圧手段１０５により加熱手段１０４を介して定着ローラ１０３に押圧されているので、定着ローラ１０の回転による摩擦駆動力と定着コロ１０２の回転動力が伝達されて回転する。
【００１１】
Ｓ３０３で温度検出手段２０２により、定着ベルト１０１の温度を直接検出し、この検出温度が所定の温度（目標温度）に達したことを温度比較手段２０３により判断した際には、Ｓ３０４で温度比較手段２０３の出力値で加熱手段１０４に対する電圧印加をオフし、所定の温度に達しないときは加熱手段１０４に対する電圧印加をオンする。上記動作を繰り返すことにより、常に定着ベルト１０１は所定の温度を維持する。ここで、用紙（不図示）が定着ベルト１０１と定着ローラ１０３との間に挿入されることにより、加熱手段１０４の熱が定着ベルト１０１を伝わり、用紙が熱せられ、加圧手段１０５により加圧を受け、用紙上に形成された未定着画像の該用紙への定着動作が行われる。
【００１２】
以上のように、この実施例１によれば、定着ベルト１０１の温度を直接的に温度検出手段１０６により測定するため、リップル等が少なく、かつ、定着動作に必要な温度を安定に維持することができるため、良好な定着を行う定着装置を得ることができる。
【００１３】
（実施例２）
図４、図５および図６は本発明の実施例２を示す説明図である。図４は本発明の定着装置の構成を示す図であり、図において、１０１は定着ベルト、１０２は後記の温度測定手段１０６より下流に設けた定着ベルト１０１を駆動する定着コロ、１０３は定着ローラ、１０４は定着ベルト１０１の内面に接触する加熱手段、１０５は加熱手段１０４を介して定着ベルト１０１を定着ローラ１０３に圧接させる加圧手段、１０６は定着ベルト１０１の温度を検出する温度検出手段、１０７は温度検出手段の移動量を検出する移動量検出手段、１０８は移動量検出手段と温度検出手段の接続部を示す。
【００１４】
図５は本発明の定着装置における温度制御部２０１および、定着コロ１０２の速度制御部４０１を示す図である。図において、温度制御部２０１は、温度検出手段１０６からの検出値と予めメモリ（図示せず）に格納された基準値とを比較する温度比較手段２０３および加熱手段駆動手段２０４を有する。２０５は温度制御部２０１の出力値に基づいて温度制御される加熱手段である。
【００１５】
速度制御部４０１は、移動量検出手段１０７で検出された移動量と予めメモリ（図示せず）に格納された基準値とを比較する比較手段４０３および定着コロ駆動手段４０４を有する。定着コロ駆動手段４０５は、速度制御部４０１の出力値に基づいて定着コロ１０２の回転速度を制御する。
【００１６】
上記構成よりなる実施例２の動作を図６のフローチャートに基づいて説明する。装置の動作がＳ５０１で開始すると、Ｓ５０２で加熱手段１０４に電圧を印加する。本実施例２では、加熱手段として面状ヒーター等が好ましい。また、定着ローラ１０３および定着コロ１０２にはそれぞれ駆動装置（不図示）が繋がっており、図１に示す矢印方向に回転する。この回転に伴い定着ベルト１０１も加圧手段１０５により加熱手段１０４を介して定着ローラ１０３に押圧されているので、定着ローラ１０３の回転による摩擦駆動力と定着コロ１０２の回転動力が伝達されて回転する。
【００１７】
Ｓ５０３で温度検出手段により、定着ベルト１０１の温度を直接検出し、この検出温度が所定の温度（目標温度）に達したことを温度比較手段２０３により判断した際には、Ｓ５０４で温度比較手段２０３の出力値で加熱手段１０４に対する電圧印加をオフし、所定温度に達しないときは加熱手段１０４に対する電圧印加をオンする。上記動作を繰り返すことにより、常に定着ベルトは所定の温度を維持する。ここで、用紙（不図示）が定着ベルト１０１と定着ローラ１０３との間に挿入されることにより、加熱手段１０４の熱が定着ベルト１０１を伝わり、用紙が熱せられ、加圧手段１０５により加圧を受け、用紙上に形成された未定着画像の該用紙への定着動作が行われる。
【００１８】
加えて、実施例２はＳ５０５で温度検出手段１０６の移動量を検出手段４０２で検知する。Ｓ５０６で検出手段４０２の出力値を比較手段４０３で基準値と比較して移動量の有無を調べ、移動量が有の場合は、Ｓ５０７で定着コロ駆動手段４０４により定着コロ１０２のスピードを変化させる。たとえば、温度検出手段２０２の移動量検出手段１０７により、定着ベルト１０１が定着ローラ１０３より離れているとすれば、定着コロ１０２の回転速度を早くすることにより、定着ベルト１０１は定着ローラ１０３に添うようになる。
【００１９】
以上のように、実施例２によれば、定着ベルト１０１の温度を直接的に温度検出手段１０６により測定するため、リップル等が少なく、かつ、定着動作に必要な温度を安定に維持することができるため、良好な定着を行なうことができる定着装置を提供できる。
【００２０】
また、実施例２は温度検出手段の移動量を検出する移動量検出手段を有するので、定着ベルト１０１が定着ローラ１０３から離れたことが検出されたときは、定着コロ１０２のスピードを調整することができ、定着ベルト１０１は定着ローラに沿って回転が滑らかになり、像ずれ等の無い、良好な定着を行なうことができる定着装置を提供できる。
【００２１】
本発明の様々な例と実施例が示され説明されているが、当業者であれば、本発明の趣旨と範囲は本明細書内の特定の説明と図に限定されるのではなく、本願特許請求の範囲に全て述べられてた様々の修正と変更に及ぶことが理解されるであろう。
【００２２】
本発明の実施態様の例を以下に列挙する。
【００２３】
［実施態様１］請求項１の定着装置において、加熱用ベルトの温度測定手段は、加熱ベルトの内面に接して設けられていることを特徴とする定着装置。
【００２４】
［実施態様２］加熱用ベルトと、この加熱用ベルトを加熱する加熱手段と、この加熱手段に対向する定着ローラと、前記加熱用ベルトと前記加熱手段を前記定着ローラに加圧する加圧手段と、前記加熱用ベルトの温度測定手段と、この温度測定手段の下流に設けられ前記加熱用ベルトを駆動する定着コロとを有する定着装置。
【００２５】
［実施態様３］請求項１および実施態様１，２のうちのいずれか１項記載の定着装置において、温度測定手段の移動量を検知する移動量検出手段を有することを特徴とする定着装置。
【００２６】
［実施態様４］実施態様３の定着装置において、移動量検出手段の検出値に基づいて定着コロの回転速度を可変させる回転速度可変手段を有することを特徴とする定着装置。
【００２７】
【発明の効果】
以上のように、本発明によれば、定着ベルトの温度を直接的に温度検出手段により測定するため、リップル等が少なく、より実際の温度に近い形の制御を可能とし、かつ、定着動作に必要な温度を維持することができるため、良好な定着を行なう定着装置を提供できる。
【図面の簡単な説明】
【図１】本発明の実施例１による定着装置の構成を示す図である。
【図２】定着装置における温度制御部の構成を示す図である。
【図３】温度制御手段の動作を説明するフローチャートである。
【図４】本発明の実施例２による定着装置の構成を示す図である。
【図５】温度制御部および定着コロ制御部の構成を示す図である。
【図６】温度制御手段および定着コロ制御部の動作を説明するフローチャートである。
【符号の説明】
１０１  定着ベルト
１０２  定着コロ
１０３  定着ローラ
１０４  加熱手段
１０５  加圧手段
１０６  温度検出手段
１０７  温度検出手段移動量検出手段
２０１  温度制御部
４０１  温度制御部および定着コロ制御部
【図１】
2004239985.tif 000003
【図２】
2004239985.tif 000004
【図３】
2004239985.tif 000005
【図４】
2004239985.tif 000006
【図５】
2004239985.tif 000007
【図６】
2004239985.tif 000008